(57)【特許請求の範囲】
【請求項１】
胴部（１０）より口頸部（１１）を起立してなる容器体（Ａ）と、口頸部（１１）内周に上端部を液密に嵌着固定させて下端部を容器体（Ａ）内に垂下させ、内底部に吸込み弁（３３）を備えたシリンダ（Ｂ）と、シリンダ（Ｂ）の内周に液密摺動可能に嵌合させた環状ピストン（４０）を外周下部より突設してシリンダ（Ｂ）に対して上方付勢状態で上下動可能に装着するとともに、下部にシリンダ（Ｂ）内と連通する連絡路（ｐ）を備え、且つ、逆止弁（４２）を介して連絡路（ｐ）と連通する上端開口の定量室（Ｒ）を連絡路（ｐ）の上方に備えた上下動部材（Ｄ）と、容器体口頸部（１１）外周に着脱自在に嵌合させた周壁（８０）上端縁より頂壁（８１）を延設するとともに、上下動部材（Ｄ）を最下降状態に押圧係止してなるキャップ（Ｆ）とを備え、上下動部材（Ｄ）の上端に、キャップ（Ｆ）を取り外した状態の上下動部材（Ｄ）の押し込みが可能で且つ定量室（Ｒ）内の液の注出が可能な押圧用内蓋（Ｅ）を、着脱可能に設けたことを特徴とする液体定量注出容器。
【請求項２】
シリンダ（Ｂ）内下部中央に支持棒（３５）を起立支持させ、上下動部材（Ｄ）の連絡路（ｐ）内周に周方向複数突設した案内突部（４４）を支持棒（３５）周囲に摺動可能に嵌合させた請求項１に記載の液体定量注出容器。
【請求項３】
押圧用内蓋（Ｅ）は、定量室（Ｒ）の上部を横断して両端を上下動部材（Ｄ）の上端部に着脱可能に嵌合させてなる請求項１又は請求項２に記載の液体定量注出容器。
【請求項４】
上下動部材（Ｄ）の上端部が、内部に定量室（Ｒ）を画成した円筒状の周壁（５３）の上端縁より外方へフランジ（５４）を延設し、フランジ（５４）外周縁より基端部が円筒状をなし、上方に行くに従い漸次拡径する拡径筒部（５５）を延設してなり、押圧用内蓋（Ｅ）が、定量室（Ｒ）の上部を横断して両端部を拡径筒部（５５）内面に着脱可能に嵌合した頂壁部（７０）と、頂板部（７０）両側裏面よりそれぞれ垂設して周壁（５３）内周に着脱可能に嵌合した円弧板状の垂壁部（７１）とを備えている請求項１乃至請求項３のいずれか１項に記載の液体定量注出容器。
【請求項５】
逆止弁（４２）は、周囲を複数の弾性板（６１）で支持された逆止弁板（６２）を備え、逆止弁板（６２）を弁座に圧接して構成した請求項１乃至請求項４のいずれか１項に記載の液体定量注出容器。
【発明の詳細な説明】
【技術分野】
【０００１】
本発明は液体定量注出容器に関する。
【背景技術】
【０００２】
容器体内の一定量の液を計量して注出が可能な容器が種々提案されている。（例えば、特許文献１を参照）
【０００３】
特許文献１に記載されている液体定量栓は、容器口部に嵌着できる部分をシリンダに設け、かつ、シリンダの下部に吸上管を設けて、吸上管をシリンダ内部の定量室と連通させ、そして、シリンダの下部に定量室から吸上管への液体の逆流を防止する第１逆止弁を設けている。また、キャップの内側にシリンダに内挿するピストンを垂下して設けるとともに、ピストンには通気孔を設け、通気孔は定量室とピストンの外部とを連通させるようにして設けるとともに、通気孔に定量室への空気の逆流を防止する第２逆止弁を設けている。さらに、シリンダには空気孔を設け、空気孔はシリンダの外部とシリンダが装着される容器の内部とを連通させるようにして設けている。
【０００４】
上記特許文献１に記載された液体定量栓は、定量室に入った液体は容器体内に逆流することがなく、従って、正確に一定量を注出することができ、しかも、時間をかけて注出しても不正確になることがない。また、吸上管から逆流するおそれがないので、吸上管を大径にでき、液体吸引時の抵抗が小さく、キャップの取り外しが軽快にできる。さらに、定量室に液体を吸引して満たし、続いてキャップとピストンを容器口部から外して注出するので、定量室内の液体を一気に排出することができる等の特徴を有する。
【先行技術文献】
【特許文献】
【０００５】
【特許文献１】実開昭６１−１４５２６１号公報
【発明の概要】
【発明が解決しようとする課題】
【０００６】
本発明は上記と同様に正確に一定量の注出が可能であり、しかもピストンを外さずに定量液を計量・注出できるので取り扱いが簡単であり、また、定量液の複数回の連続した注出も容易であり、更に、使用当初のプライミング操作も容易に行える液体定量注出容器を提案する。
【課題を解決するための手段】
【０００７】
第１の手段として、以下の通り構成した。即ち、胴部１０より口頸部１１を起立してなる容器体Ａと、口頸部１１内周に上端部を液密に嵌着固定させて下端部を容器体Ａ内に垂下させ、内底部に吸込み弁３３を備えたシリンダＢと、シリンダＢの内周に液密摺動可能に嵌合させた環状ピストン４０を外周下部より突設してシリンダＢに対して上方付勢状態で上下動可能に装着するとともに、下部にシリンダＢ内と連通する連絡路ｐを備え、且つ、逆止弁４２を介して連絡路ｐと連通する上端開口の定量室Ｒを連絡路ｐの上方に備えた上下動部材Ｄと、容器体口頸部１１外周に着脱自在に嵌合させた周壁８０上端縁より頂壁８１を延設するとともに、上下動部材Ｄを最下降状態に押圧係止してなるキャップＦとを備え、上下動部材Ｄの上端に、キャップＦを取り外した状態の上下動部材Ｄの押し込みが可能で且つ定量室Ｒ内の液の注出が可能な押圧用内蓋Ｅを、着脱可能に設けた。
【０００８】
第２の手段として、以下の通り構成した。即ち、前記第１の手段に於いて、シリンダＢ内下部中央に支持棒３５を起立支持させ、上下動部材Ｄの連絡路ｐ内周に周方向複数突設した案内突部４４を支持棒３５周囲に摺動可能に嵌合させた。
【０００９】
第３の手段として、以下の通り構成した。即ち、前記第１の手段又は第２の手段に於いて、押圧用内蓋Ｅは、定量室Ｒの上部を横断して両端を上下動部材Ｄの上端部に着脱可能に嵌合させてなる。
【００１０】
第４の手段として、以下の通り構成した。即ち、前記第１の手段乃至第３の手段のいずれかの手段に於いて、上下動部材Ｄの上端部が、内部に定量室Ｒを画成した円筒状の周壁５３の上端縁より外方へフランジ５４を延設し、フランジ５４外周縁より基端部が円筒状をなし、上方に行くに従い漸次拡径する拡径筒部５５を延設してなり、押圧用内蓋Ｅが、定量室Ｒの上部を横断して両端部を拡径筒部５５内面に着脱可能に嵌合した頂壁部７０と、頂板部７０両側裏面よりそれぞれ垂設して周壁５３内周に着脱可能に嵌合した円弧板状の垂壁部７１とを備えている。
【００１１】
第５の手段として、以下の通り構成した。即ち、前記第１の手段乃至第４の手段のいずれかの手段に於いて、逆止弁４２は、周囲を複数の弾性板６１で支持された逆止弁板６２を備え、逆止弁板６２を弁座に圧接して構成した。
【発明の効果】
【００１２】
本発明によれば、キャップＦを外すという操作で、自動的に上下動部材Ｄが上昇し、上下動部材Ｄの定量室Ｒ内には予め計量された定量液が存在するため、そのままの状態で定量液の注出が可能である。また、使用後はキャップＦを閉じるだけで、上下動部材Ｄが下降してシリンダＢ内の液が連絡路ｐ内へ、また、連絡路ｐ内の加圧液が逆止弁４２を開いて定量室Ｒ内に導入されて、再び定量液が定量室Ｒ内に導入される。従って、キャップＦの着脱のみで液の移行、計量を行うことができ、取り扱い上極めて便利である。
【００１３】
また、上下動部材Ｄの上端に、キャップＦを取り外した状態の上下動部材Ｄの押し込みが可能で且つ定量室Ｒ内の液の注出が可能な押圧用内蓋Ｅを、着脱可能に設けているため、液体定量注出容器の使用当初には、シリンダＢ内或いは上下動部材Ｄ内には空気が存在することが予測されるが、その際に押圧用内蓋Ｅを押圧することで上下動部材Ｄを容易に上下動させることができて簡単に各部への液の充満を行うことができ、所謂プライミング操作を容易に行うことができる。しかも使用時には、押圧用内蓋Ｅを押圧して上下動部材Ｄを最下降位置まで押し下げて定量液を定量室Ｒ内に導入した後、押圧を解除すれば再び簡単に定量液の注出が可能となり、連続しての定量液の注出をきわめて容易に行える利点もある。
【００１４】
シリンダＢ内下部中央に支持棒３５を起立支持させ、上下動部材Ｄの連絡路ｐ内周に周方向複数突設した案内突部４４を支持棒３５周囲に摺動可能に嵌合させた場合には、各案内突部４４の支持棒３５外面の上下動と、環状ピストン４０のシリンダＢ内面の上下動と併せて上下動部材Ｄの上下動をブレなく安定して行うことができる。    
【００１５】
押圧用内蓋Ｅは、定量室Ｒの上部を横断して両端を上下動部材Ｄの上端部に着脱可能に嵌合させてなる場合には、定量室Ｒ内の液を前後いずれからも注出することができ、また、押圧用内蓋Ｅの取り外しも容易に行える利点がある。
【００１６】
上下動部材Ｄの上端部が、内部に定量室Ｒを画成した円筒状の周壁５３の上端縁より外方へフランジ５４を延設し、フランジ５４外周縁より基端部が円筒状をなし、上方に行くに従い漸次拡径する拡径筒部５５を延設してなり、押圧用内蓋Ｅが、定量室Ｒの上部を横断して両端部を拡径筒部５５内面に着脱可能に嵌合した頂壁部７０と、頂壁部７０両側裏面よりそれぞれ垂設して周壁５３内周に着脱可能に嵌合した円弧板状の垂壁部７１とを備えている場合には、押圧用内蓋Ｅは上記と同様に取り外し易く、また、周方向の方向性がないため、いかなる方向にも装着が可能であり、取り扱いが便利である。また、拡径筒部５５の存在で液の注出も円滑に行える利点がある。
【００１７】
逆止弁４２を、周囲を複数の弾性板６１で支持された逆止弁板６２を備え、逆止弁板６２を弁座に圧接して構成した場合には、容器体Ａの傾きで連絡路ｐ内の液が定量室Ｒ内に流入する等の不都合がなく、安定して連絡路ｐ内の液を充満させておくことができるため、定量室Ｒ内へ常時安定して定量の液を供給することが可能である。
【図面の簡単な説明】
【００１８】
【図１】液体定量注出容器の縦断面図である。（実施例１）
【図２】弁部材の弁板部分の要部横断面図である。（実施例１）
【図３】液体定量注出容器のキャップを外した状態の縦断面図である。（実施例１）
【図４】押圧用内蓋を嵌着した上下動部材の平面図である。（実施例１）
【発明を実施するための形態】
【００１９】
以下、本発明の形態を図面を参照して説明する。
【００２０】
図１は液体定量注出容器の一例である実施例１を示し、液体定量注出容器１は、容器体Ａと、シリンダＢと、弁部材Ｃと、上下動部材Ｄと、押圧用内蓋Ｅと、キャップＦとを備えている。
【００２１】
容器体Ａは、胴部１０より口頸部１１を起立したボトルタイプのもので、合成樹脂により形成されている。
【００２２】
シリンダＢは合成樹脂により形成され、口頸部１１内周に上端部を液密に嵌着固定させて下端部を容器体Ａ内に垂下させている。図示例では、周壁２０の外周上端部より突設したフランジ２１を介して垂設した装着筒２２を、口頸部１１外周上端部に、突条相互の乗り越え係合により抜け出しを防止して、嵌着している。また、周壁２０下端より延設したフランジ状の底壁２３裏面よりパイプ嵌合筒２４を垂設し、パイプ嵌合筒２４にパイプ２５の上端を嵌着し、その下端を容器体Ａ内底部に垂下させている。底壁２３の中央部の連通孔２６周囲より吸込み弁座２７を立設している。また、周壁２０の上部には、負圧化した容器体Ａ内への外気導入を行う外気導入用の透孔２８を穿設している。
【００２３】
弁部材Ｃは合成樹脂或いはエラストマー等で形成され、シリンダＢの周壁２０内周下端部に嵌合させた嵌着筒３０を備え、嵌着筒３０の内面に周方向複数の弾性板３１を介して中央に円板状の吸込み弁板３２を支持しており、吸込み弁板３２の裏面を吸込み弁座２７上面に圧接してここに吸込み弁３３を形成している。図示例の弾性板３１は、図２に示す如く、嵌着筒３０の内面より中心に向かった後嵌着筒３０内周面に沿って湾曲し、再び中心に向かった後吸込み弁板３２外面に連結する形態をなし、周方向等間隔に三箇所掛け渡されている。吸込み弁３３は、シリンダＢ内が負圧化した際に開弁して容器体Ａ内の液がパイプ２５を介してシリンダＢ内へ導入される。
【００２４】
嵌着筒３０の上面には支持台３４を設けている。支持台３４は嵌着筒３０の中央を横断して掛け渡され、 両側の支持板３４ａの上端縁より中央部がそれぞれ段部３４ｂを介して隆起した頂板３４ｃを延設し、頂板３４ｃの上面中央より支持棒３５を起立支持している。支持棒３５の上端部を拡径して係止段部３６を周設している。上記各段部３４ｂは上下動部材Ｄを上方付勢させるためのコイルスプリングｓの下端部を係止する。
【００２５】
上下動部材Ｄは、シリンダＢの内周に液密摺動可能に嵌合させた環状ピストン４０を外周下部より突設してシリンダＢに対して上方付勢状態で上下動可能に装着され、シリンダＢ内と連通する連絡路ｐを備え、連絡路ｐの上部に逆止弁４２を介して連絡路ｐ内から一方的に連通する上端開口の定量室Ｒを備えている。
【００２６】
本例では、上下動部材Ｄを、下部材Ｄ１と、上部材Ｄ２と、逆止弁部材Ｄ３とから構成しており、下部材Ｄ１は更に第１下部材Ｄ１ａと、第２下部材Ｄ１ｂとで構成している。第１下部材Ｄ１ａは、筒部４３の内周下端より内方へ、周方向複数の案内突部４４を突設している。各案内突部４４は支持棒３５の外周に内面を摺動可能に当接したもので、各案内突部４４と支持棒３５とで上下動部材Ｄの安定した上下動に寄与する。
【００２７】
第２下部材Ｄ１ｂは、大径筒部４６の上端よりフランジ４７を介して小径筒部４８を起立し、大径筒部４６の下端縁より外方へ環状ピストン４０を一体に突設している。そして、大径筒部４６の内周に第１下部材Ｄ１ａの筒部４３上部を嵌着固定して両者を嵌着一体化し、筒部４３と小径筒部４８との内部に連絡路ｐを画成している。
【００２８】
上部材Ｄ２は、第２下部材Ｄ１ｂの小径筒部４８外周に嵌着させる嵌合筒５０を、底壁５１中央に穿設した窓孔５２周縁より下方へ垂設し、また、底壁５１周縁部より周壁５３を起立している。周壁５３の下端部は小径部５３ａに形成し、また、上端部からはフランジ５４を介して拡径筒部５５を延設している。拡径筒部５５は基端部が円筒状をなし、上方に行くに従い漸次拡径している。そして、嵌合筒５０を下部材Ｄ１の小径筒部４８外周に嵌着固定して下部材Ｄ１と上部材Ｄ２とを嵌合一体化している。
【００２９】
逆止弁部材Ｄ３は、上部材Ｄ２の小径部５３ａ内周に嵌着させた嵌合筒６０の内周下部に、吸込み弁３３と同様形態をなす、周方向複数の弾性板６１を介して逆止弁板６２を支持しており、逆止弁板６２下面周縁部を窓孔５２周縁部で構成する弁座に圧接して逆止弁４２を構成している。
【００３０】
上記の如く構成された上下動部材Ｄは、環状ピストン４０をシリンダＢ内周に摺動可能に嵌合させ、また、支持台３４の各段部３４ｂと大径筒部４６下面との間にコイルスプリングｓを介在させて常時上方に付勢させ、シリンダＢに対して上下動可能に装着している。そしてシリンダＢ内から連絡路ｐ内へ連通し、また、連絡路ｐ内から逆止弁４２を介して定量室Ｒ内へ一方的に連通している。
【００３１】
押圧用内蓋Ｅは、上部材Ｄ２の中央部を横断する頂壁部７０を備え、頂壁部７０の両側より円弧板状の垂壁部７１を垂設して上部材周壁５３内周に嵌合させ、また、頂壁部７０の両側周縁部を上部材Ｄ２のフランジ５４上に嵌合させて着脱可能に装着している。中央部には円形の膨出部７２を突設している。
【００３２】
キャップＦは、容器体口頸部１１外周に着脱自在に嵌合させた周壁８０上端縁より頂壁８１を延設している。また、頂壁８１裏面より押圧筒８２を垂設し、この押圧筒８２により上下動部材Ｄを、コイルスプリングｓの弾発力に抗して最下降状態に押圧係止している。
【００３３】
上記の如く構成した液体定量注出容器は、図１の状態では未使用のため、定量室Ｒ内やシリンダＢ内等には空気が存在する場合がある。その場合には、図１の状態からキャップＦを外すと、コイルスプリングｓの上方付勢力により上下動部材Ｄが上昇し、図３の状態となる。この状態で押圧用内蓋Ｅの頂壁部７０を押圧して上下動部材Ｄを上下動させることでシリンダＢ内、上下動部材Ｄの連絡路ｐ内に液を充満させることができ、所謂プライミングを行うことができる。
【００３４】
プライミング後にキャップＦを螺着することで、上下動部材Ｄが押し下げられ、シリンダＢ内の加圧液が各案内突部４４間を通って連絡路ｐ内に導入されるとともに、連絡路ｐ内の加圧液が逆止弁４２を開いて定量室Ｒ内に導入され、上下動部材Ｄが最下降位置に到達した時点で定量室Ｒ内には定量の液が導入される。
【００３５】
定量液を使用する場合には、上記状態からキャップＦを螺脱することで上下動部材Ｄはコイルスプリングｓにより上昇し、その際シリンダＢ内の負圧により吸込み弁３３が開いて、容器体Ａ内の液がパイプ２５を介してシリンダＢ内に導入される。次いで、容器体Ａを傾けて定量室Ｒ上端の開口部分より定量の液の注出が可能となる。本例では、図４に斜線で示す定量室Ｒ内の液は、押圧用内蓋Ｅを左右に掛け渡して装着しているため、押圧用内蓋Ｅの頂壁部７０の前後の開口部分より注出が可能であり、容器体Ａを前方或いは後方に傾けての注出が可能となる。尚、本例に於ける押圧用内蓋Ｅは３６０°どの方向にも掛け渡し装着が可能であるため、その装着状態により開口部分の位置が相違し、その場合にはその開口部分の方向に容器体Ａを傾けての液の注出が可能となる。
【００３６】
次に、連続して定量の液の注出を行いたい場合には、押圧用内蓋Ｅの上面を押圧して上下動部材Ｄを最下降位置まで押し下げることで、定量室Ｒ内に同様に定量の液を導入し、しかる後押圧用内蓋Ｅの押圧を解除することで上下動部材Ｄを上昇させ、同様に定量の液の注出を行うことができる。液の注出後は、再びキャップＦを装着すれば、上下動部材Ｄは最下降位置まで押し下げられて定量室Ｒに定量液が導入され、その状態で保管等を行うことができる。
【符号の説明】
【００３７】
１：液体定量注出容器
Ａ：容器体
１０…胴部、１１…口頸部
Ｂ：シリンダ
２０…周壁、２１…フランジ、２２…装着筒、２３…底壁、２４…パイプ嵌合筒、
２５…パイプ、２６…連通孔、２７…吸込み弁座、２８…外気導入用透孔
Ｃ：弁部材
３０…嵌着筒、３１…弾性板、３２…吸込み弁板、３３…吸込み弁、３４…支持台、
３４ａ…支持板、３４ｂ…段部、３４ｃ…頂板、３５…支持棒、３６…係止段部
Ｄ：上下動部材
４０…環状ピストン、４２…逆止弁
Ｄ１：下部材
Ｄ１ａ：第１下部材
４３…筒部、４４…案内突部
Ｄ１ｂ：第２下部材
４６…大径筒部、４７…フランジ、４８…小径筒部
Ｄ２：上部材
５０…嵌合筒、５１…底壁、５２…窓孔、５３…周壁、５３ａ…小径部、
５４…フランジ、５５…拡径筒部
Ｄ３：逆止弁部材
６０…嵌合筒、６１…弾性板、６２…逆止弁板
Ｅ：押圧用内蓋
７０…頂壁部、７１…垂壁部、７２…膨出部
Ｆ：キャップ
８０…周壁、８１…頂壁、８２…押圧筒
ｐ：連絡路
Ｒ：定量室
ｓ：コイルスプリング
【図１】
0005697096.tif 000002
【図２】
0005697096.tif 000003
【図３】
0005697096.tif 000004
【図４】
0005697096.tif 000005